(57)【要約】【課題】  スライド式タイルタイプの遊戯具を提供する。【解決手段】  しるしが描かれた露出面を有する複数の矩形タイルが、側方へ平面移動するために正方形の平面配列に嵌め込まれており、平面配列において配列中のタイルの相対位置を変化するために空のスペースを含んでいるためにしるしの配列が変化する。タイル回転盤が、タイルが配列を移動できるように配列の四隅に取り付けられ、配列の下方に垂直に延び、かつコーナーのタイルを配列平面より上に持ち上げ、タイルを回転させて変化した角度位置で配列に戻すために軸方向に上向きに押し上げひねることのできるハンドル軸に歯車で連結されている。シャフトの上向きの動きは、その動きを防ぐために隣接しているタイルと噛み合った固定板を持ち上げる。【選択図】図１
2007319481.tif 000002
【特許請求の範囲】
【請求項１】
しるしが描かれた露出面を有する複数の矩形タイルが、タイル仮置きスペースを備えているハウジングフレームによって定められたタイル収容スペースに２次元配列として同一平面上に互いに隣接して嵌め込まれ、配列を変化させるためにタイル仮置きスペースに出し入れできるハウジングフレーム内における選択した個々のタイルを順次側方へ同一平面移動できるようにしたスライド式タイル遊戯具であって、
一連のタイルのうちの少なくとも１つのタイルを、隣接したタイルがない状態とする配列平面外へ垂直に持ち上げ、そして前記持ち上げた少なくとも１つのタイルをタイルに付けられたしるしの向きを変えるために回転させ、且つ前記少なくとも１つのタイルを回転した位置でしるしが向きを変えた状態で配列に戻るように降下させる回転手段を含むことを特徴とするスライド式タイル遊戯具。
【請求項２】
タイルを持ち上げ降下させる回転手段は回転盤を含み、裏面において膨出部と溝部が形成された前記少なくとも１つのタイルの裏面とかみ合う回転盤であって、前記少なくとも１つのタイルの側方移動によって前記少なくとも１つのタイルの持ち上げ、回転及び降下の間に回転盤上のタイルを保持するタイル固定溝が形成されていることを特徴とする請求項１に記載のスライド式タイル遊戯具。
【請求項３】
前記少なくとも１つのタイルが複数のタイルを含み、前記タイルを持ち上げ降下させる回転手段が、それぞれ相隔てたタイル受け取りスペースに取り付けられた前記複数のタイルに対応する複数の回転盤を含み、各回転盤は被動歯車を含み、さらに共通駆動装置と、タイルが持ち上げられるときに同時回転するために被動歯車と連動して同時作動中に前記共通駆動装置を持ち上げる手段を含むことを特徴とする請求項２に記載のスライド式タイル遊戯具。
【請求項４】
前記ハウジングがハンドルの先端に取り付けられ、前記共通駆動装置は、圧縮バネの動きに対して回転手段とともに共通駆動装置を持ち上げるために、ハンドルの軸方向の操作を可能としてハンドル内で回転する縦軸と、共通駆動装置を手動で回転させるために軸の底端に取り付けられているつまみを含むことを特徴とする請求項３に記載のスライド式タイル遊戯具。
【発明の詳細な説明】
【技術分野】
【０００１】
本発明は、スライド式のタイル／ブロックタイプの遊戯具に関する。
【背景技術】
【０００２】
移動ブロックタイプの遊戯具は１００年以上にわたって普及している。そのようなパズルの一つの形態として、複数の矩形タイルが、空のタイル仮置きスペースを備えているハウジングフレームによって、２次元配列や平面配列として同一平面上に互いに隣接して嵌め込まれ、配列を変化させるためにタイル仮置きスペースに出し入れできるフレーム内における選択した個々のタイルを順次側方へ同一平面移動できるようにし、一般的に、タイルの露出面に標識した一連の数や文字を形成するためにしるしの順番を変え、又はタイルによって表されたパターンや図柄を変化させることができるものである。
【０００３】
上述したタイプの多数のパズルの例が、１９１４年にリッジウェイ（Ridgway）へ付与された米国特許第１，１０１，５６７号（特許文献１）、１９８３年にコリン（Collin）へ付与された米国特許第４，４２２，６４１号（特許文献２）、１９８５年にモローネ（Morrone）へ付与された米国特許第４，５４８，４１０号（特許文献３）、１９９３年にボーウェン（Bowen）へ付与された米国特許第５，２６７，７２３号（特許文献４）及び１９９８年にネシス（Nesis）へ付与された米国特許第５，７８５，３１８号（特許文献５）に提案されている。
【特許文献１】米国特許第１，１０１，５６７号明細書
【特許文献２】米国特許第４，４２２，６４１号明細書
【特許文献３】米国特許第４，５４８，４１０号明細書
【特許文献４】米国特許第５，２６７，７２３号明細書
【特許文献５】米国特許第５，７８５，３１８号明細書
【発明の開示】
【発明が解決しようとする課題】
【０００４】
従来のスライド式タイルパズルの構成は、タイルに標識したしるしがいつも同じ方向で位置するように、直交軸に沿うタイルの同一平面上の並進スライド移動に限定されており、これはしるしの異なった組み合わせの数を、望ましくない低い状態に制限し、それゆえ、得られるパターンや図柄の種類の変化を少なくしている。
【課題を解決するための手段】
【０００５】
本発明の目的は、スライド式タイルタイプの遊戯具を提供することにより上述した制限を取り除くことにあり、１以上の個々のタイルがタイル上のしるしの方向や位置を変えるために１以上の他のタイルと連動して回転し、その結果しるしの異なった組み合わせ／パターンの数を増やすことである。
【０００６】
本発明の別の目的は、平面配列に残っている１以上のタイルに連動した前述の回転を可能にするためにハウジングにリンクして、１以上のタイルを配列平面外にコントロール可能に移動させることができるタイプのスライド式タイルパズルの遊戯具を提供することである。
【０００７】
本発明は、しるしが描かれた露出面を有する複数の矩形タイルが、タイル仮置きスペースを備えているハウジングフレームによって定められたタイル収容スペースに２次元配列として同一平面上に互いに隣接して嵌め込まれ、配列を変化させるためにタイル仮置きスペースに出し入れできるフレーム内における選択した個々のタイルを順次側方へ同一平面内で移動できるようにしたスライド式タイル遊戯具であって、改良点は、一連のタイルのうちの少なくとも１つのタイルを、隣接したタイルがない状態とする配列平面外へ垂直に持ち上げ、そして前記持ち上げた少なくとも１つのタイルをタイルに付けられたしるしの向きを変えるために回転させ、且つ前記少なくとも１つのタイルを回転した位置でしるしが向きを変えた状態で配列に戻るように降下させる回転手段を含んでいる。
【発明の効果】
【０００８】
本発明のスライド式タイルパズルは、１以上の個々のタイルがタイル上のしるしの方向や位置を変えるために１以上の他のタイルと連動して回転し、その結果しるしの異なった組み合わせ／パターンの数を増やすことができる。
【発明を実施するための最良の形態】
【０００９】
本発明は、４、９（図示するように３列×３行）、１６、２５、３６、４９、６４、或いはそれ以上からなる正方形平面のます目／マトリックスを有するパズル装置であって、スライドタイル／ブロックが正方形ハウジングと隣接した空の「仮置きスペース」の内部に嵌めこまれている。一つのタイルが正方形平面のます目の隣接したスペースから「仮置きスペース」へ列方向にスライドさせることができ、残ったタイルの一つをそれによって作られたます目内の空のスペースに出し入れすることができ、そしてそれゆえタイルの操作及び／移動が可能になり、視覚メッセージや絵柄が描かれた連続平面を作成する。
【００１０】
以下、図面を参照して本発明を説明する。
本発明のスライド式タイルパズル装置は、主構成として、タイル1のマトリックス配列、タイル嵌め込みハウジングアセンブリ2、タイル上昇回転手段3及び操作ハンドルアセンブリ4からなる。
【００１１】
タイル1は数のしるし１〜９が描かれた露出面と、タイル裏面において側面に設置されて側方に突出する膨出部5とこの膨出部5の上方に形成される溝部6を設けるための側縁部と、各側縁部の下端である底面に円錐状の固定凹部（図示しない）を有している。
【００１２】
ハウジングアセンブリ2は、それぞれプラスチックで成形された上下のハウジングハーフシェル9，10から成り、側縁に沿って互いに接着されている。上部ハウジングハーフシェル9は、９つのタイルスペースに対応する正方形のタイル支持部分と１０番目のオフセット、つまりタイル仮置きスペース13とで定められる中央が凹んだタイルを支持するパネル12を含んでいる。円形の開口部14が、パネル12のタイル支持部分の四隅のそれぞれにあるタイル受け取りスペースに形成されており、又４つの正方形状開口部15がタイル上昇回転手段3の構成パーツを受け入れるためにタイル受け取りスペースの各円形の開口部14の間に形成されている。ハウジング収納部の縁部16には、円形の開口部14間の位置においてパネルの周縁から内側へパネルの表面上をタイルがスライドしている間に平面マトリックス内でタイルを保持するように隣接したタイルの各溝部6内に延びる、レールを備えたリップ部17が備えられている。更に、隣接したタイル溝部に延びるレールを備えている４つのタイル保持構造19も、パネルの中央位置において相隔てて配置され、リップ部17とタイル保持構造19との間にタイルの平面配列を保持して、それらの間をタイルがスライド可能とされている。
【００１３】
タイル上昇回転手段3は、十字形のタイル固定板21の各腕部23上に角錐状のタイルを固定する角錐台突起22を各パネルの正方形状開口部15の下に位置あわせして備えたタイル固定板21を含んでいる。圧縮バネ25（任意に選択できる）は、タイル固定板21に下向きの戻り力を提供するために、タイル固定板21の中央部とハウジングパネル12の底面の間に設置されている。
【００１４】
また、タイル上昇回転手段3は、それぞれが被動歯車27から立ち上り、下方を切り込んだタイル固定溝28を備えた状態に上端を形成された円柱状のタイル回転盤26の４個を含んでいる。回転盤26は、タイルが円形の開口部14上の各スペースにスライドするとき、各タイル固定溝28が各タイルの側縁部をスライド可能に受け、タイル固定溝の底部に膨出部5を係合し、タイル固定溝の先端を側縁部の溝部6に係合するように、各円形の開口部14から突出する。各被動歯車27はなだらかな円錐歯29を有している。共通駆動装置30のギア歯36は、４つの被動歯車27の中心に位置され、そして伸縮バネ（図示せず）に連結されたハンドル34内において同軸方向に延び、操作ノブ35で終端となる縦軸32の先端に取り付けられている。共通駆動装置30上のギア歯36は被動歯車の歯部に噛み合う円錐形状である。
【００１５】
表面に３、８、９及び７の番号がしるしとして付された四隅のタイルは、ノブ35を押し上げ、伸縮バネの機能に対する縦軸32と先端のギア歯36を被動歯車歯29と完全に噛み合うように上げて、四隅のタイル３、８、９及び７をタイル１の配列平面上を垂直に、隣接したタイルがない状態に、持ち上げることによって、図４（１）に示すしるし方向から図４（３）に示す方向に９０度の角度で回転することができる。また、駆動ギア歯36は、４、６及び２のタイルが位置するスペースにこの３個のタイルを固定するためにこれら３個のタイルの底部の凹部に角錐台突起22が入るように、伸縮バネ25の動きに対してタイル固定板21を押し上げる。ノブ35をひねるとコーナーは９０度、１８０度、２７０度或いは３６０度のいずれかで所望どおりに回転し、図４（２）と図４（３）に示されるようにしるしの方向を変える。タイルがそれぞれのスペース及び隣接するタイルに正しく位置あわせされるとき、ハンドルの開放は、伸縮バネ25が固定板21に下向きの力を加えられるようにし、つまり、角錐台突起22を４、６及び２のタイルの底部の各凹部から引っ込め、隣接したスペースが空いている場合はそのスペースにタイルがスライドできるように固定を解除し、駆動装置と被動歯車を噛み合わなくする（ハンドルへの伸縮バネの戻り動作によって補助される）。
【００１６】
上述した如く、本発明は、角位置の所定タイルを変換するのに操作可能なタイル回転歯車を内蔵しており、遊戯者はその歯車を、ギアハンドルを伸縮バネに反して軸方向に押し上げることによって操作し、四隅のタイルを残りのタイルとパズル表面より上方に持ち上げるために４つの被動歯車に中央の共通駆動装置を同時にかみ合わせ、持ち上がったタイルを残りのタイルの平面の残りの部分に関連して９０度、１８０度、２７０度、及び３６０度の角度で回転するようにひねることにより、四隅のタイルの向きを変えることができる。
【００１７】
ゲームの目的は、組み付けられているタイルをきちんと配置することであり、遊戯者が９０度単位でギアハンドルを押し上げて回転するときはいつでも強いられているタイルの動き（垂直か水平、列か行）の制限されたスライド方向の制約の難問に取り組みながら相互に関連した所定序列としるしの方向を同時に揃えることである。従って、歯車の回転はいつでも９０度の単位で行われ、２つのうちの可能な方向の一つ（行か列、垂直か水平）にタイルをスライドすることができる。 逆向きの切換えは、続いて行う＋／−９０度のギア回転で可能にされる。
【図面の簡単な説明】
【００１８】
【図１】本発明のパズル装置の実施形態の側面図及び平面図である。
【図２】本発明のパズル装置の分解斜視図である。
【図３】タイルを回転する被動歯車上の下方を切り取った溝に取り付けられたタイルを下側から見た部分斜視図である。
【図４】１、２及び３は押し上げ及びひねりの歯車手段の操作による四隅のタイルの９０度の回転を示す図である。
【符号の説明】
【００１９】
１      タイル                                      ２１    タイル固定板
２      タイル嵌め込みハウジングアセンブリ          ２２    角錐台突起
３      タイル上昇回転手段                          ２３    腕部
４      操作ハンドルアセンブリ                      ２５    圧縮バネ
５      膨出部                                      ２６    タイル回転盤
６      溝部                                        ２７    被動歯車
９      上部ハウジングハーフシェル                  ２８    タイル固定溝
１０    下部ハウジングハーフシェル                  ２９    円錐歯
１２    パネル                                      ３０    共通駆動装置
１３    タイル仮置きスペース                        ３２    縦軸
１４    円形の開口部                                ３４    ハンドル
１５    正方形状開口部                              ３５    操作ノブ
１６    縁部                                        ３６    ギア歯
１７    リップ部
１９    タイル保持構造
【図１】
2007319481.tif 000003
【図２】
2007319481.tif 000004
【図３】
2007319481.tif 000005
【図４】
2007319481.tif 000006